(57)【要約】【課題】複数の操作釦を含んだ操作部が操作釦の操作に応じた情報表示を行う表示部の上方に位置するようにした使い方と、操作部が表示部の下方に位置するようにした使い方とを任意に選択することができるものとする。【解決手段】電話機能部１１と、操作釦表示部分と情報表示部分とを含んだ表示／操作パネル部１２と、重力方向に対する姿勢を検知する姿勢検出部１８と、姿勢検出部１８からの検出出力信号が、操作釦表示部分の位置が情報表示部分の位置の上方にあることをあらわすときと、操作釦表示部分の位置が情報表示部分の位置の下方にあることをあらわすときとで、操作釦表示部分及び情報表示部分の夫々における表示内容を上下方向関係が反転したものとすべく、表示／操作パネル部１２　に対する制御を行う動作制御ユニット１３及び表示制御部１９とを備える。【選択図】　　　　図１
2004112364.tif 000002
【特許請求の範囲】
【請求項１】
音声の音声信号への変換、音声信号の音声への変換及び音声信号の送受信を行う電話機能部と、
該電話機能部に対する制御を行うための操作に供される複数の操作釦を表示する操作釦表示部分と上記操作釦の操作に応じた情報表示を行う情報表示部分とを含んだ表示／操作パネル部と、
重力方向に対する姿勢を検知し、検出された姿勢に応じた検出出力信号を発生する姿勢検出部と、
該姿勢検出部からの検出出力信号が、上記操作釦表示部分の位置が上記情報表示部分の位置の上方にあることをあらわすときと、上記操作釦表示部分の位置が上記情報表示部分の位置の下方にあることをあらわすときとで、上記操作釦表示部分及び上記情報表示部分の夫々における表示内容を上下方向関係が反転したものとすべく、上記表示／操作パネル部に対する制御を行う制御部と、
を備えて構成される携帯電話装置。
【請求項２】
制御部が、姿勢検出部からの検出出力信号が操作釦表示部分の位置が情報表示部分の位置の上方にあることをあらわすとき、上記操作釦表示部分及び上記情報表示部分の夫々における表示内容を、上記情報表示部分から上記操作釦表示部分に向かう方向を下から上に向かう方向とし、姿勢検出部からの検出出力信号が上記操作釦表示部分の位置が上記情報表示部分の位置の下方にあることをあらわすとき、上記操作釦表示部分及び上記情報表示部分の夫々における表示内容を、上記操作釦表示部分から上記情報表示部分に向かう方向を下から上に向かう方向とするものとすべく、表示／操作パネル部に対する制御を行うことを特徴とする請求項１記載の携帯電話装置。
【請求項３】
表示／操作パネル部が、透明接触操作入力パネルと平面表示パネルとが重ねられて配されて構成されることを特徴とする請求項１記載の携帯電話装置。
【請求項４】
電話機能部、表示／操作パネル部、姿勢検出部及び制御部がケース内に納められ、上記電話機能部に含まれる送受信アンテナが上記ケースの上記表示／操作パネル部における操作釦表示部分側端部から外部に突出することを特徴とする請求項１記載の携帯電話装置。
【発明の詳細な説明】
【０００１】
【発明の属する技術分野】
本願の特許請求の範囲に記載された発明は、電話機能部に対する制御を行うための複数の操作釦を含んだ操作部と、操作部における操作釦の操作に応じた情報表示を行う表示部とを備えた携帯電話装置に関する。
【０００２】
【従来の技術】
近年、使用者が片手で保持して操作できるように小型軽量化された無線電話機である携帯電話機の普及が著しい。このような携帯電話機にあっては、その機能面あるいは構造面からみて様々なタイプのものが実用に供されているが、一般に使用されているものについて構造面から大別すると、折畳み式と非折畳み式とに分けられる。
【０００３】
折畳み式の携帯電話機は、ケースが二つに分割されていて、それらが蝶番部により連結されて折畳み可能とされており、一方のケースに複数の操作釦を含んだ操作部が設けられ、他方のケースに操作釦の操作に応じた情報表示を行う表示部が設けられたものとされる。それに対して、非折畳み式の携帯電話機は、全体が一体化された一つのケースに、複数の操作釦を含んだ操作部と操作釦の操作に応じた情報表示を行う表示部とが設けられたものとされる。
【０００４】
こうした折畳み式の携帯電話機及び非折畳み式の携帯電話機には、例外的なものを除いて、操作部と表示部との配置関係における共通性が認められ、それは、夫々の使用状態時において、操作部が表示部の下方に位置されることである。即ち、折畳み式の携帯電話機及び非折畳み式の携帯電話機のいずれにあっても、使用される際には、表示部の下方に配されるものとされた操作部における複数の操作釦が使用者によって操作されるものとされる。
【０００５】
携帯電話機が使用されるにあたっては、通常、使用者が携帯電話機を左手で保持して左手の親指によって操作部における複数の操作釦を操作する状態、もしくは、右手で保持して右手の親指によって操作部における複数の操作釦を操作する状態がとられる。このようなもとで、上述のように一般の携帯電話機は、折畳み式であれ非折畳み式であれ、使用される際には操作部が表示部の下方に配されるものとされるので、使用者の左手もしくは右手により保持されて左手の親指もしくは右手の親指によって操作部における複数の操作釦が操作されるにあたり、表示部が設けられた部分がどうしても使用者の左手もしくは右手から上方に突出する状態となってしまう。それゆえ、使用者によっては、携帯電話機の使用時における保持状態を不安定なものと感じ、それによって使い難さを覚えることになってしまう。
【０００６】
そこで、従来、携帯電話機について、使用される際に複数の操作釦を含んだ操作部が操作釦の操作に応じた情報表示を行う表示部の上方に位置するようになすことも提案されている（例えば、特許文献１、特許文献２参照。）。このような従来提案された携帯電話機は、それが実用化されたか否かについては確かではないが、少なくとも、特許文献において知られたものであることは明らかである。
【０００７】
【特許文献１】
特開２００１−１６３０４号公報（図２及びその説明）
【特許文献２】
特開２００２−８４３５０号公報（図１及びその説明）
【０００８】
【発明が解決しようとする課題】
上述のように、従来、例えば、特許文献１もしくは特許文献２において提案されているような、使用される際に複数の操作釦を含んだ操作部が操作釦の操作に応じた情報表示を行う表示部の上方に位置するようにされた携帯電話機の場合には、使用者の左手もしくは右手により保持されて左手の親指もしくは右手の親指によって操作部における複数の操作釦が操作されるにあたり、表示部が設けられた部分は、使用者の左手の親指の下方にあって左手の掌の中、もしくは、使用者の右手の親指の下方にあって右手の掌の中に置かれる状態とされる。それにより、使用者によっては、操作部における複数の操作釦の操作時に、表示部によりなされる情報表示を見辛いものと感じ、それによって使い難さを覚えることになる。
【０００９】
即ち、従来広く普及している、使用される際に複数の操作釦を含んだ操作部が操作釦の操作に応じた情報表示を行う表示部の下方に位置するようにされた携帯電話機、及び、特許文献１もしくは特許文献２において提案されているような、使用される際に複数の操作釦を含んだ操作部が操作釦の操作に応じた情報表示を行う表示部の上方に位置するようにされた携帯電話機のいずれの場合にも、使用者によっては、使い難さを覚えることになるのである。
【００１０】
このことは、一つの携帯電話機であって、複数の操作釦を含んだ操作部が操作釦の操作に応じた情報表示を行う表示部の上方に位置するようにした使い方と、複数の操作釦を含んだ操作部が操作釦の操作に応じた情報表示を行う表示部の下方に位置するようにした使い方とを、任意に選択できるものがあれば、上述の使い勝手上の不都合が解消されることを意味している。しかしながら、従来にあっては、このような操作部が表示部の上方に位置するようにした使い方と操作部が表示部の下方に位置するようにした使い方とを選択できる携帯電話機についての提案は見当たらない。
【００１１】
斯かる点に鑑み、本願の特許請求の範囲に記載された発明は、電話機能部と、その電話機能部に対する制御を行うための複数の操作釦を含んだ操作部と、操作部における操作釦の操作に応じた情報表示を行う表示部とを備えたもとで、操作部が表示部の上方に位置するようにした使い方と操作部が表示部の下方に位置するようにした使い方とを任意に選択することができる携帯電話装置を提供する。
【００１２】
【課題を解決するための手段】
本願の特許請求の範囲における請求項１から請求項４までのいずれかに記載された発明に係る携帯電話装置は、音声の音声信号への変換、音声信号の音声への変換及び音声信号の送受信を行う電話機能部と、電話機能部に対する制御を行うための操作に供される複数の操作釦を表示する操作釦表示部分と操作釦の操作に応じた情報表示を行う情報表示部分とを含んだ表示／操作パネル部と、重力方向に対する姿勢を検知し、検出された姿勢に応じた検出出力信号を発生する姿勢検出部と、姿勢検出部からの検出出力信号が、操作釦表示部分の位置が情報表示部分の位置の上方にあることをあらわすときと、操作釦表示部分の位置が情報表示部分の位置の下方にあることをあらわすときとで、操作釦表示部分及び情報表示部分の夫々における表示内容を上下方向関係が反転したものとすべく、表示／操作パネル部に対する制御を行う制御部と、を備えて構成される。
【００１３】
このような本願の特許請求の範囲における請求項１から請求項４までのいずれかに記載された発明に係る携帯電話装置にあっては、例えば、請求項２に記載された発明に係る携帯電話装置のように、制御部によって、姿勢検出部からの検出出力信号が操作釦表示部分の位置が情報表示部分の位置の上方にあることをあらわすとき、操作釦表示部分及び情報表示部分の夫々における表示内容を、情報表示部分から操作釦表示部分に向かう方向を下から上に向かう方向とし、姿勢検出部からの検出出力信号が操作釦表示部分の位置が情報表示部分の位置の下方にあることをあらわすとき、操作釦表示部分及び情報表示部分の夫々における表示内容を、操作釦表示部分から情報表示部分に向かう方向を下から上に向かう方向とするように、表示／操作パネル部に対する制御が行われる。そして、表示／操作パネル部における操作釦表示部分は、電話機能部に対する制御を行うための複数の操作釦を含んだ操作部を形成しており、また、表示／操作パネル部における情報表示部分は、操作部における操作釦の操作に応じた情報表示を行う表示部を形成している。
【００１４】
それゆえ、本願の特許請求の範囲における請求項１から請求項４までのいずれかに記載された発明に係る携帯電話機装置は、操作部の位置が表示部の位置の上方にあるとき及び操作部の位置が表示部の位置の下方にあるときのいずれにおいても、操作部及び表示部の夫々における表示内容が使用者にとって正立したものとされ、従って、使用者が、操作部が表示部の上方に位置するようにした使い方と操作部が表示部の下方に位置するようにした使い方とを任意に選択することができることになるものとされる。
【００１５】
【発明の実施の形態】
図１は、本願の特許請求の範囲における請求項１から請求項４までのいずれかに記載された発明に係る携帯電話装置の例を示す。
【００１６】
図１に示される例にあっては、音声の音声信号への変換、音声信号の音声への変換及び音声信号の送受信を行う電話機能部１１、その電話機能部１１に対する制御を行うための操作に供される複数の操作釦を表示する操作釦表示部分と操作釦の操作に応じた情報表示を行う情報表示部分とを含んだ表示／操作パネル部１２、及び、各部の動作制御を行う、例えば、マイクロコンピュータが用いられて構成される動作制御ユニット１３が備えられている。
【００１７】
表示／操作パネル部１２は、重ねられて配された平面表示パネル１４と透明接触操作入力パネル１５とを含んで構成されている。そして、表示／操作パネル部１２における操作釦表示部分は、電話機能部１１に対する制御を行うための複数の操作釦を含んだ操作部を形成しており、また、表示／操作パネル部１２における情報表示部分は、操作部における操作釦の操作に応じた情報表示を行う表示部を形成している。
【００１８】
動作制御ユニット１３は、透明接触操作入力パネル１５に対する入力パネル制御信号ＳＰを入力パネル駆動部１６に送出し、入力パネル駆動部１６は、入力パネル制御信号ＳＰに基づく駆動信号ＳＰＤを透明接触操作入力パネル１５に供給する。それにより、透明接触操作入力パネル１５が入力パネル制御信号ＳＰに基づいて駆動され、接触操作による入力が可能な状態とされる。
【００１９】
また、動作制御ユニット１３は、平面表示パネル１４に対する表示情報信号ＳＤを表示信号形成部１７に送出し、表示信号形成部１７は、表示情報信号ＳＤに基づく表示信号ＳＤＤを平面表示パネル１４に供給する。それにより、平面表示パネル１４が表示情報信号ＳＤに基き、操作釦表示部分に関する表示と情報表示部分に関する表示とを行う。操作釦表示部分に関する表示には、少なくとも、電話機能部１１に対する制御を行うための操作に供される複数の操作釦についての表示が含まれる。
【００２０】
それにより、重ねられて配された平面表示パネル１４と透明接触操作入力パネル１５とにおいて、平面表示パネル１４における操作釦表示部分に関する表示を行う部分とそれに対応する透明接触操作入力パネル１５の部分とによって操作釦表示部分が形成され、また、平面表示パネル１４における情報表示部分に関する表示を行う部分とそれに対応する透明接触操作入力パネル１５の部分とによって情報表示部分が形成される。
【００２１】
動作制御ユニット１３には、姿勢検出部１８からの検出出力信号ＤＰＯが供給される。姿勢検出部１８は、例えば、重力加速度センサが用いられて構成され、図１に示される携帯電話装置の例の姿勢を検出するものとされている。そして、姿勢検出部１８は、図１に示される携帯電話装置の例が、表示／操作パネル部１２において操作釦表示部分の位置が情報表示部分の位置の上方となる姿勢をとるとき、その姿勢を検出して、操作釦表示部分の位置が情報表示部分の位置の上方にあることをあらわすものとして、例えば、正極性の検出出力信号ＤＰＯを発生し、また、図１に示される携帯電話装置の例が、表示／操作パネル部１２において操作釦表示部分の位置が情報表示部分の位置の下方となる姿勢をとるとき、その姿勢を検出して、操作釦表示部分の位置が情報表示部分の位置の下方にあることをあらわすものとして、例えば、負正極性の検出出力信号ＤＰＯを発生する。
【００２２】
動作制御ユニット１３は、姿勢検出部１８からの正極性の検出出力信号ＤＰＯが供給されるとき、表示／操作パネル部１２の操作釦表示部分及び情報表示部分の夫々における表示内容を、情報表示部分から操作釦表示部分に向かう方向を下から上に向かう方向とするための表示方向制御信号ＳＣを表示制御部１９に供給し、また、姿勢検出部１８からの負極性の検出出力信号ＤＰＯが供給されるとき、表示／操作パネル部１２の操作釦表示部分及び情報表示部分の夫々における表示内容を、操作釦表示部分から情報表示部分に向かう方向を下から上に向かう方向とするための表示方向制御信号ＳＣを表示制御部１９に供給する。
【００２３】
表示制御部は、動作制御ユニット１３からの表示方向制御信号ＳＣに応じた表示制御信号ＳＣＣを形成してそれを平面表示パネル１４に供給し、平面表示パネル１４による表示を表示制御信号ＳＣＣによって制御する。その結果、姿勢検出部１８から動作制御ユニット１３に正極性の検出出力信号ＤＰＯ、即ち、操作釦表示部分の位置が情報表示部分の位置の上方にあることをあらわす検出出力信号ＤＰＯが供給されるとき、動作制御ユニット１３によって、表示／操作パネル部１２の操作釦表示部分及び情報表示部分の夫々における表示内容が、情報表示部分から操作釦表示部分に向かう方向を下から上に向かう方向とするものとされる制御が行われ、また、姿勢検出部１８から動作制御ユニット１３に負極性の検出出力信号ＤＰＯ、即ち、操作釦表示部分の位置が情報表示部分の位置の下方にあることをあらわす検出出力信号ＤＰＯが供給されるとき、動作制御ユニット１３によって、表示／操作パネル部１２の操作釦表示部分及び情報表示部分の夫々における表示内容が、操作釦表示部分から情報表示部分に向かう方向を下から上に向かう方向とするものとされる制御が行われることになる。
【００２４】
このような動作制御ユニット１３及び表示制御部１９による姿勢検出部１８からの検出出力信号ＤＰＯに応じた平面表示パネル１４に対する制御により、図１に示される携帯電話機の例にあっては、表示／操作パネル部１２において操作釦表示部分の位置が情報表示部分の位置の上方となる姿勢をとる場合、及び、表示／操作パネル部１２において操作釦表示部分の位置が情報表示部分の位置の下方となる姿勢をとる場合のいずれにおいても、表示／操作パネル部１２の操作釦表示部分及び情報表示部分の夫々における表示内容が、使用者に対して正立するものとされる。
【００２５】
このようなもとで、使用者により、電話機能部１１に所望の動作を行わせるべく、表示／操作パネル部１２の操作釦表示部分が形成する操作部における入力接触操作が行われると、透明接触操作入力パネル１５から、その入力接触操作に応じた操作出力信号ＳＭが送出され、それが操作出力信号検出部２０によって検出される。操作出力信号検出部２０は、透明接触操作入力パネル１５からの操作出力信号ＳＭを検出すると、検出された操作出力信号ＳＭに応じた検出出力信号ＤＳＭを動作制御ユニット１３に供給する。
【００２６】
操作出力信号検出部２０からの検出出力信号ＤＳＭが供給された動作制御ユニット１３は、検出出力信号ＤＳＭに応じた制御信号／データＣＴを電話機能部１１に供給し、電話機能部１１を所望の作動を行う状態とする。また、それとともに、検出出力信号ＤＳＭに応じた表示情報信号ＳＤを表示信号形成部１７に供給し、その表示情報信号ＳＤに基づく表示信号ＳＤＤが表示信号形成部１７から平面表示パネル１４に供給されるようになす。それにより、表示／操作パネル部１２の情報表示部分が形成する表示部において、表示／操作パネル部１２の操作釦表示部分が形成する操作部における入力接触操作に応じた表示が行われる。
【００２７】
電話機能部１１が所望の動作を行うもとにあっては、マイクロフォン２１ａもしくは２１ｂからそれに対する音声入力に応じて得られる音声信号ＱＡが、レベル調整部２２を経てアナログ／ディジタル（Ａ／Ｄ）変換部２３に供給される。マイクロフォン２１ａとマイクロフォン２１ｂとは、スイッチ２１Ｓによって切り換えられて選択的に使用されるものとされ、表示／操作パネル部１２において操作釦表示部分の位置が情報表示部分の位置の上方となる姿勢がとられる場合に、マイクロフォン２１ａが使用され、表示／操作パネル部１２において操作釦表示部分の位置が情報表示部分の位置の下方となる姿勢がとられる場合に、マイクロフォン２１ｂが使用される。
【００２８】
Ａ／Ｄ変換部２３からは、音声信号ＱＡに基づくディジタル音声信号ＤＡが送出されて、それが　符号化／復号化部２４に供給される。符号化／復号化部２４においては、ディジタル音声信号ＤＡに基づく符号化された音声データＤＣＡが得られて、それが時分割処理部２５に供給される。
【００２９】
時分割処理部２５には、動作制御ユニット１３からの制御信号／データＣＴに含まれる制御情報データも供給され　時分割処理部２５において、符号化／復号化部２４からの音声データＤＣＡ及び動作制御ユニット１３からの制御情報データが時分割多重されて多重合成データＤＴＸが形成され、それが変調部２６に供給される。
【００３０】
変調部２６においては、多重合成データＤＴＸを変調データとする変調処理が行われ、変調部２６から、多重合成データＤＴＸによる変調がなされた所定の搬送周波数を有するディジタル変調信号ＳＸＭが得られ、それが送信部２７に供給される。送信部２７においては、ディジタル変調信号ＳＸＭについての周波数変換及びその他の処理が行われて、音声データＤＣＡに応じた送信データ信号である送信用の電話信号ＳＤＴが形成され、それが送受分波部２８に供給される。そして、送受分波部２８に供給された電話信号ＳＤＴが、送受信アンテナ２９を通じて無線送信される。
【００３１】
また、外部からの電話信号ＳＤＲが、送受信アンテナ２９及び送受分波部２８を通じて受信され、受信部３０に供給される。受信部３０においては、電話信号ＳＤＲについての周波数変換及びその他の処理が行われて、ディジタル変調信号ＳＸＤが形成され、それが復調部３１に供給される。復調部３１においては、ディジタル変調信号ＳＸＤに対する復調処理が行われ、受信多重合成データＤＲＸが得られて、それが時分割処理部２５に供給される。
【００３２】
時分割処理部２５においては、動作制御ユニット１３からの制御信号／データＣＴに応じた信号処理が行われて、受信多重合成データＤＲＸから、再生音声データＤＣＢ、制御情報データＸＴ等が得られる。制御情報データＸＴは動作制御ユニット１３に供給され、再生音声データＤＣＢは符号化／復号化部２４に供給される。
【００３３】
制御情報データＸＴが供給される動作制御部１３は、制御情報データＸＴに応答しての制御動作を行い、例えば、制御情報データＸＴに応じた表示情報信号ＳＤを表示信号形成部１７に供給し、その表示情報信号ＳＤに基づく表示信号ＳＤＤが表示信号形成部１７から平面表示パネル１４に供給されるようになす。それにより、表示／操作パネル部１２の情報表示部分が形成する表示部において、制御情報データＸＴがあらわす情報内容についての表示が行われる。
【００３４】
再生音声データＤＣＢが供給される符号化／復号化部２４においては、再生音声データＤＣＢについての復号化が行われて、再生音声データＤＣＢに基づく再生ディジタル音声信号ＤＢが得られ、それがディジタル／アナログ（Ｄ／Ａ）変換部３２に供給される。Ｄ／Ａ変換部３２においては、再生ディジタル音声信号ＤＢにアナログ化処理が施されて、再生音声信号ＱＢが得られ、それがレベル調整部３３を経てスピーカ３４ａもしくはスピーカ３４ｂに供給される。その結果、スピーカ３４ａもしくはスピーカ３４ｂから再生音声データＤＣＢに基づく音声が発せられる。スピーカ３４ａとスピーカ３４ｂとは、スイッチ３４Ｓによって切り換えられて選択的に使用されるものとされ、表示／操作パネル部１２において操作釦表示部分の位置が情報表示部分の位置の上方となる姿勢がとられる場合に、スピーカ３４ａが使用され、表示／操作パネル部１２において操作釦表示部分の位置が情報表示部分の位置の下方となる姿勢がとられる場合に、スピーカ３４ｂが使用される。
【００３５】
図２は、動作制御ユニット１３が、姿勢検出部１８からの検出出力信号ＤＰＯに応じた平面表示パネル１４に対する制御を行うにあたって実行する制御プログラムの一例を示すフローチャートである。
【００３６】
図２に示されるフローチャートにより示される制御プログラムにあっては、スタート後、ステップ４０において、姿勢検出部１８からの検出出力信号ＤＰＯが到来しているか否かを判断する。その結果、検出出力信号ＤＰＯが到来していない場合には、ステップ４０での判断を繰り返し、検出出力信号ＤＰＯが到来している場合には、ステップ４１において、姿勢検出部１８からの検出出力信号ＤＰＯが正極性のものか否かを判断する。その結果、検出出力信号ＤＰＯが正極性のものであれば、ステップ４２において、検出出力信号ＤＰＯが正極性のものである状態が予め設定された所定時間以上継続したか否かを判断する。
【００３７】
ステップ４２での判断の結果、検出出力信号ＤＰＯが正極性のものである状態が予め設定された所定時間以上継続していない場合には、ステップ４０に戻り、検出出力信号ＤＰＯが正極性のものである状態が予め設定された所定時間以上継続した場合には、ステップ４３において、平面表示パネル１４に、表示／操作パネル部１２の操作釦表示部分及び情報表示部分の夫々における表示内容を情報表示部分から操作釦表示部分に向かう方向を下から上に向かう方向とするものとなす、正転表示を行わせるべく、表示方向制御信号ＳＣを表示制御部１９に送出して、ステップ４０に戻る。
【００３８】
また、ステップ４１での判断の結果、姿勢検出部１８からの検出出力信号ＤＰＯが正極性のものでない場合には、ステップ４４において、姿勢検出部１８からの検出出力信号ＤＰＯが負極性のものであるか否かを判断する。その結果、検出出力信号ＤＰＯが負極性のものでなければ、ステップ４０に戻り、検出出力信号ＤＰＯが負極性のものであれば、ステップ４５において、検出出力信号ＤＰＯが負極性のものである状態が予め設定された所定時間以上継続したか否かを判断する。
【００３９】
ステップ４５での判断の結果、検出出力信号ＤＰＯが負極性のものである状態が予め設定された所定時間以上継続していない場合には、ステップ４０に戻り、検出出力信号ＤＰＯが負極性のものである状態が予め設定された所定時間以上継続した場合には、ステップ４６において、平面表示パネル１４に、表示／操作パネル部１２の操作釦表示部分及び情報表示部分の夫々における表示内容を操作釦表示部分から情報表示部分に向かう方向を下から上に向かう方向とするものとなす、逆転表示を行わせるべく、表示方向制御信号ＳＣを表示制御部１９に送出して、ステップ４０に戻る。
【００４０】
図３及び図４は、図１に示される携帯電話装置の例、即ち、本願の特許請求の範囲における請求項１から請求項４までのいずれかに記載された発明に係る携帯電話装置の例の外観の一例を示す。
【００４１】
図３及び図４に示される例においては、図１に示される各部を、送受信アンテナ２９を除いて収容するものとされた、全体が一体化されたケース５０が備えられている。ケース５０に収容された表示／操作パネル部１２においては、透明接触操作入力パネル１５がその接触操作面を外部に臨ませるものとして配されている。そして、表示／操作パネル部１２は、操作部を形成する操作釦表示部分５１と表示部を形成する情報表示部分５２とを有している。操作釦表示部分５１にあっては、平面表示パネル１４に得られる複数の操作釦５３が、透明接触操作入力パネル１５を透して表示される。一方、情報表示部分５２にあっては、平面表示パネル１４に得られる表示情報が、透明接触操作入力パネル１５を透して表示される。
【００４２】
図３は、図１に示される携帯電話装置の例が、表示／操作パネル部１２において操作釦表示部分５１の位置が情報表示部分５２の位置の上方となる姿勢をとった状態をあらわしており、一方、図４は、図１に示される携帯電話装置の例が、表示／操作パネル部１２において操作釦表示部分５１の位置が情報表示部分５２の位置の下方となる姿勢をとった状態をあらわしている。これらの図３に示される状態及び図４に示される状態のいずれの場合においても、表示／操作パネル部１２の操作釦表示部分５１及び情報表示部分５２の夫々における表示内容は、使用者に対して正立するものとされる。
【００４３】
そして、図３及び図４に示される例においては、ケース５０における表示／操作パネル部１２の情報表示部分５２側の端部５４は、マイクロフォン２１ａとスピーカ３４ｂとを内蔵した部分とされており、また、ケース５０における表示／操作パネル部１２の操作釦表示部分５１側の端部５５は、マイクロフォン２１ｂとスピーカ３４ａとを内蔵した部分とされている。さらに、ケース５０における表示／操作パネル部１２の操作釦表示部分５１側の端部５５の側面部から、送受信アンテナ２９が外部に突出している。
【００４４】
図５は、図３に示される例についてのＡ−Ａ線に沿う断面を示す。
【００４５】
図５においては、ケース５０の内部に固定されたプリント配線基板６０の一方の面上に、平面表示パネル１４と透明接触操作入力パネル１５とが重ねられて配されて、表示／操作パネル部１２が形成されている。そして、表示／操作パネル部１２には、操作釦表示部分５１と情報表示部分５２とが設けられている。また、プリント配線基板６０の他方の面には、図１に示される例における回路ブロック部分を形成する集積回路素子６１が取り付けられている。さらに、ケース５０内におけるプリント配線基板６０の他方の面側の部分には、充電可能とされた電池６２と重力加速度センサが用いられて形成される姿勢検出部１８が固定されている。
【００４６】
図６及び図７は、図１に示される携帯電話装置の例、即ち、本願の特許請求の範囲における請求項１から請求項４までのいずれかに記載された発明に係る携帯電話装置の例の外観の他の例を示す。
【００４７】
図６及び図７に示される例においては、図１に示される各部を、送受信アンテナ２９を除いて収容するものとされた、２個に分割されたケース６５及び６６が備えられている。これらのケース６５とケース６６とは、蝶番部６７を介して相互に連結されていて、折畳み可能とされている。
【００４８】
ケース６５及び６６には、表示／操作パネル部１２が２分割されて配されており、ケース６５に配された表示／操作パネル部１２の部分及びケース６６に配された表示／操作パネル部１２の部分の夫々において、透明接触操作入力パネル１５がその接触操作面を外部に臨ませるものとして配されている。そして、ケース６５に配された表示／操作パネル部１２の部分は、操作部を形成する操作釦表示部分５１を有しており、ケース６６に配された表示／操作パネル部１２の部分は、表示部を形成する情報表示部分５２を有している。
【００４９】
操作釦表示部分５１にあっては、平面表示パネル１４に得られる複数の操作釦５３が、透明接触操作入力パネル１５を透して表示される。一方、情報表示部分５２にあっては、平面表示パネル１４に得られる表示情報が、透明接触操作入力パネル１５を透して表示される。
【００５０】
図６は、図１に示される携帯電話装置の例の外観の他の例が、表示／操作パネル部１２において操作釦表示部分５１の位置が情報表示部分５２の位置の上方となる姿勢をとった状態をあらわしており、一方、図７は、図１に示される携帯電話装置の例の外観の他の例が、表示／操作パネル部１２において操作釦表示部分５１の位置が情報表示部分５２の位置の下方となる姿勢をとった状態をあらわしている。これらの図６に示される状態及び図７に示される状態のいずれの場合においても、表示／操作パネル部１２の操作釦表示部分５１及び情報表示部分５２の夫々における表示内容は、その使用時に際しておいて、使用者に対して正立するものとされる。
【００５１】
そして、図６及び図７に示される例においては、ケース６６における外側端部６８は、マイクロフォン２１ａとスピーカ３４ｂとを内蔵した部分とされており、また、ケース６５における外側端部６９は、マイクロフォン２１ｂとスピーカ３４ａとを内蔵した部分とされている。さらに、ケース６５における外側端部６９の側面部から、送受信アンテナ２９が外部に突出している。
【００５２】
【発明の効果】
以上の説明から明らかな如く、本願の特許請求の範囲における請求項１から請求項４までのいずれかに記載された発明に係る携帯電話装置にあっては、制御部によって、姿勢検出部からの検出出力信号が操作釦表示部分の位置が情報表示部分の位置の上方にあることをあらわすとき、操作釦表示部分及び情報表示部分の夫々における表示内容を、情報表示部分から操作釦表示部分に向かう方向を下から上に向かう方向とし、姿勢検出部からの検出出力信号が操作釦表示部分の位置が情報表示部分の位置の下方にあることをあらわすとき、操作釦表示部分及び情報表示部分の夫々における表示内容を、操作釦表示部分から情報表示部分に向かう方向を下から上に向かう方向とするように、表示／操作パネル部に対する制御が行われるようになすことができ、その際、表示／操作パネル部における操作釦表示部分は、電話機能部に対する制御を行うための複数の操作釦を含んだ操作部を形成し、また、表示／操作パネル部における情報表示部分は、操作部における操作釦の操作に応じた情報表示を行う表示部を形成する。
【００５３】
それゆえ、本願の特許請求の範囲における請求項１から請求項４までのいずれかに記載された発明に係る携帯電話装置によれば、操作部の位置が表示部の位置の上方にあるとき及び操作部の位置が表示部の位置の下方にあるときのいずれにおいても、操作部及び表示部の夫々における表示内容が使用者にとって正立したものとされ、従って、使用者が、操作部が表示部の上方に位置するようにした使い方と操作部が表示部の下方に位置するようにした使い方とを任意に選択することができることになる。
【図面の簡単な説明】
【図１】本願の特許請求の範囲における請求項１から請求項４までのいずれかに記載された発明に係る携帯電話装置の例を示すブロック構成図である。
【図２】図１に示される例における動作制御ユニットが、姿勢検出部からの検出出力信号に応じた平面表示パネルに対する制御を行うにあたって実行する制御プログラムの一例を示すフローチャートである。
【図３】図１に示される携帯電話装置の例の外観の一例を示す正面図である。
【図４】図１に示される携帯電話装置の例の外観の一例を示す正面図である。
【図５】図３におけるＡ−Ａ線に沿う断面をあらわす図である。
【図６】図１に示される携帯電話装置の例の外観の他の例を示す正面図である。
【図７】図１に示される携帯電話装置の例の外観の他の例を示す正面図である。
【符号の説明】
１１・・・電話機能部、　１２・・・表示／操作パネル部、　１３・・・動作制御ユニット、　　１４・・・平面表示パネル、　１５・・・透明接触操作入力パネル、　　１６・・・入力パネル駆動部、　１７・・・表示信号形成部、　１８・・・姿勢検出部、　１９・・・表示制御部、　２１ａ，２１ｂ・・・マイクロフォン、　　２２、３３・・・レベル調整部、　　２３・・・Ａ／Ｄ変換部、　２４・・・符号化／復号化部、　２５・・・時分割処理部、　２６・・・変調部、　２７・・・送信部、　２８・・・送受分波部、　２９・・・送受信アンテナ、　３０・・・受信部、　３１・・・復調部、　３２・・・Ｄ／Ａ変換部、　３４ａ，３４ｂ・・・スピーカ、　５０、６５、６６・・・ケース、　５１・・・操作釦表示部分、　５２・・・情報表示部分、　５３・・・操作釦、　６７・・・蝶番部
【図１】
2004112364.tif 000003
【図２】
2004112364.tif 000004
【図３】
2004112364.tif 000005
【図４】
2004112364.tif 000006
【図５】
2004112364.tif 000007
【図６】
2004112364.tif 000008
【図７】
2004112364.tif 000009